(57)【要約】【課題】伐採木、剪定枝葉、草類等の植物を原材料とする廃材を利用して、簡易且つ手軽に緑化を施すことのできる木材チップ成形品を提供する。【解決手段】本発明の木材チップ成形品１０は、伐採木、剪定枝葉、草類等の植物を原材料とする廃材をチップ化し、生分解性樹脂と混合したチップ混合物を型枠を用いて成形することにより形成された板状成形品１１に、植物種子又は苗を植付けることによって構成され、地盤面１５に敷設して使用する。植物種子は、チップ混合物に混入して板状成形品１１に植付けることもでき、また板状成形品１１に植込み穴１２を形成し、この植込み穴１２に植物種子又は苗１３を土１４と共に植込むことにより、植物種子又は苗１３を板状成形品１１に植付けることもできる。さらに、板状成形品２１に土２２を塗布して、この土２２に植物種子を含ませることにより、植物種子を板状成形品２１に植付けることもできる。【選択図】　　　図１
2004082657.tif 000002
【特許請求の範囲】
【請求項１】
伐採木、剪定枝葉、草類等の植物を原材料とする廃材をチップ化し、生分解性樹脂と混合したチップ混合物を型枠を用いて成形することにより形成された板状成形品に、植物種子又は苗を植付け、地盤面に敷設して植生用に用いることを特徴とする木材チップ成形品。
【請求項２】
前記植物種子は、前記チップ混合物に混入されて前記板状成形品に植付けられる請求項１記載の木材チップ成形品。
【請求項３】
前記板状成形品に植込み穴を形成し、該植込み穴に植物種子又は苗を土と共に植込むことにより、植物種子又は苗を前記板状成形品に植付ける請求項１記載の木材チップ成形品。
【請求項４】
前記板状成形品に土を塗布して、該土に植物種子を含ませるることにより、植物種子を前記板状成形品に植付ける請求項１記載の木材チップ成形品。
【請求項５】
伐採木、剪定枝葉、草類等の植物を原材料とする廃材をチップ化し、生分解性樹脂と混合したチップ混合物を型枠を用いて成形することにより筒形形状に形成された成形品であって、前記筒形形状の内部に土と共に植物種子又は苗が植込まれることを特徴とする木材チップ成形品。
【請求項６】
伐採木、剪定枝葉、草類等の植物を原材料とする廃材をチップ化し、生分解性樹脂と混合したチップ混合物を型枠を用いて成形することにより板状に成形され、雑草が生えやすい地盤面を覆って敷設されて防草用に用いることを特徴とする木材チップ成形品。
【請求項７】
請求項１〜４のいずれかに記載の板状の木材チップ成形品を用いた緑化構造であって、
道路の外側の地盤及び法面、公園内の緑地、工場敷地内の緑地等の緑化を図るべき地盤面を覆って、前記植生用木材チップ成形品を敷き並べることを特徴とする緑化構造。
【発明の詳細な説明】
【０００１】
【発明の属する技術分野】
本発明は、伐採木、剪定枝葉、草類等の植物を原材料とする廃材を利用した木材チップ成形品及び緑化構造に関する。
【０００２】
【従来の技術及び発明が解決しようとする課題】
近年、廃棄物についての対策が大きな社会問題となってきており、生産・流通・消費の各段階において排出される廃棄物の量が膨大であることから、廃棄物の処理を廃棄物処理施設（特に最終処分場）のみに依存する時代は過ぎ、廃棄物の再利用を促進する資源循環形社会の構築が求められているのが現状である。特に建設業においても、平成１４年５月３０日をもって「建設リサイクル法」が完全施行され、特定建設資材廃棄物については、すべて再資源化がなされるよう義務づけられることとなっている。
【０００３】
建設資材廃棄物のうち、コンクリート、コンクリート及び鉄からなる建設資材、アスファルトコンクリート等については、従来より再資源化を図るための技術が種々開発されてきたが、木材廃棄物については、現場内での焼却処分が可能であったことから、再資源化のための技術開発が積極的になされていなかった。これに対し「産業廃棄物処理法」の改正により野焼きが禁止されるようになったことから、木材廃棄物の行き場が失われてしまい、以前にもまして処分が困難となると共に、再資源化の要望も高まっている。
【０００４】
一方、道路の外側の地盤及び法面や、公園、工場の敷地等においては、景観の向上や地盤の強化、環境の保持等を目的として、地盤面に植生を施して緑化する技術が種々見受けられるが、これらは土を大量に掘り起こしたり運搬する必要があり、また種子吹付け装置等による大規模且つ高価な緑化技術を要することなるので、これらに代わる、簡易且つ手軽に緑化を施すことのできる新たな技術の開発が望まれている。
【０００５】
本発明は、このような従来の課題に着目してなされたもので、伐採木、剪定枝葉、草類等の植物を原材料とする廃材として、特に建設木材廃棄物を利用して、簡易且つ手軽に緑化を施すことのできる木材チップ成形品及び緑化構造を提供することを目的とする。
【０００６】
また、本発明は、伐採木、剪定枝葉、草類等の植物を原材料とする廃材として、特に建設木材廃棄物を利用して、簡易且つ手軽に雑草の生育を抑制することのできる木材チップ成形品を提供することを目的とする。
【０００７】
【課題を解決するための手段】
本発明は、伐採木、剪定枝葉、草類等の植物を原材料とする廃材をチップ化し、生分解性樹脂と混合したチップ混合物を型枠を用いて成形することにより形成された板状成形品に、植物種子又は苗を植付け、地盤面に敷設して植生用に用いることを特徴とする木材チップ成形品を提供することにより、上記目的を達成したものである（請求項１記載の発明）。
【０００８】
そして、本発明の木材チップ成形品は、前記植物種子を、前記チップ混合物に混入して前記板状成形品に植付けるようにすることが好ましい（請求項２記載の発明）。
【０００９】
また、本発明の木材チップ成形品は、前記板状成形品に植込み穴を形成し、該植込み穴に植物種子又は苗を土と共に植込むことにより、植物種子又は苗を前記板状成形品に植付けるようにすることもできる（請求項３記載の発明）。
【００１０】
さらに、本発明の木材チップ成形品は、前記板状成形品に土を塗布して、該土に植物種子を含ませることにより、植物種子を前記板状成形品に植付けるようにすることもできる（請求項４記載の発明）。
【００１１】
また、本発明は、伐採木、剪定枝葉、草類等の植物を原材料とする廃材をチップ化し、生分解性樹脂と混合したチップ混合物を型枠を用いて成形することにより筒形形状に形成された成形品であって、前記筒形形状の内部に土と共に植物種子又は苗が植込まれることを特徴とする木材チップ成形品を提供することにより、上記目的を達成したものである（請求項５記載の発明）。
【００１２】
さらに、本発明は、伐採木、剪定枝葉、草類等の植物を原材料とする廃材をチップ化し、生分解性樹脂と混合したチップ混合物を型枠を用いて成形することにより板状に成形され、雑草が生えやすい地盤面を覆って敷設されて防草用に用いることを特徴とする木材チップ成形品を提供することにより、上記目的を達成したものである（請求項６記載の発明）。
【００１３】
さらにまた、本発明は、前記板状の木材チップ成形品のいずれかを用いた緑化構造であって、道路の外側の地盤及び法面、公園内の緑地、工場敷地内の緑地等の緑化を図るべき地盤面を覆って、前記木材チップ成形品を敷き並べることを特徴とする緑化構造を提供することにより、上記目的を達成したものである（請求項７記載の発明）。
【００１４】
そして、本発明によれば、型枠を用いて板状又は筒形状に成形されるチップ混合物は、植物を原材料とする廃材をチップ化し、得られた植物廃材の細片又は薄片（チップ片）を生分解性樹脂と混合することによって形成される。
【００１５】
ここで、植物を原材料とする廃材としては、例えば伐採木、剪定枝葉、草類等を用いることができる。伐採木としては、例えば建設工事現場から発生する伐採木や木の根等の建設木材廃棄物の他、林業の伐採・伐出、公園等の施設の維持管理により発生する伐採木や木の根等を使用することができる。また枝葉としては、例えば造園業の剪定により発生する枝葉等を使用することができる。さらに、草類としては、例えば建設工事現場の刈草や造園業の刈草、公園等の施設の維持管理のための刈草等を使用することができる。
【００１６】
植物を原材料とする廃材をチップ化するには、公知の各種の木材破砕機を用いて行うことができる。より具体的には、例えば万能破砕機ＳＣシリーズ（商品名、西邦機工（株）製）を用いることができる他、人力により破砕してチップ化することもできる。またチップ化されたチップ片の大きさは、例えば長さ５〜２５ｍｍ程度、巾２〜１５ｍｍ程度、厚さ０．５〜５ｍｍ程度であることが好ましく、長さ５〜１５ｍｍ程度、巾２〜１０ｍｍ程度、厚さ０．５〜２ｍｍ程度であることがさらに好ましい。
【００１７】
植物廃材のチップ片と混合されてチップ混合物を形成する生分解性樹脂としては、例えば生分解性を備えると共に人体に無害であり、且つ乾燥硬化性を有する樹脂として公知の、各種の樹脂接着剤を用いることができ、例えばエチレン・酢酸ビニル共重合物を含むものを好ましく用いることができる。
【００１８】
植物廃材のチップ片と生分解性樹脂との混合割合は、生分解性樹脂が硬化した後の成形品が、適度の弾性と保形性（剛性）の他、鋸で容易に切断できる程度の硬さを有することになるように適宜設計されることになる。例えば生分解性樹脂としてエチレン・酢酸ビニル共重合物を含むものを使用する場合には、チップ片１０００ｇに対して生分解性樹脂２７０ｃｃ程度の配合量で混合することが好ましいが、チップ片の粒度や得られる成形品の形状、物性等に応じてこれらの配合量を適宜増減する必要がある。なお、植物廃材のチップ片と生分解性樹脂との混合（練りまぜ）は、人力によって簡易に行うことができる他、適宜混合ミキサー等を用いて行うこともできる。
【００１９】
そして、植物廃材のチップ片と生分解性樹脂とを混合したチップ混合物は、型枠を用いて成形されて、木材チップ成形品が形成されることになる。すなわち、例えば平坦な矩形又は正方形の型枠の内側にチップ混合物を投入して敷均した後にプレス成形することによって、板状の木材チップ成形品が得られることになり、内側筒体と外側筒体とからなる型枠の間にチップ混合物を投入し、付き棒等により締固めることによって、筒形形状の木材チップ成形品が得られることになる。
【００２０】
得られた木材チップ成形品には、植物種子又は苗を植付けることにより、植生用として使用することが可能になり、また地盤面に敷設して緑化を施すための材料として使用することが可能になる。さらに、板状の木材チップ成形品を、植物種子や苗を植付けることなくそのまま雑草が生えやすい地盤面を覆って敷設して、防草用に用いることも可能になる。
【００２１】
【発明の実施の形態】
本発明の好ましい実施形態を、添付図面を参照しつつ詳細に説明する。図１（ａ）及び（ｂ）は、本発明の第１実施形態に係る木材チップ成形品１０を示すものである。本第１実施形態によれば、木材チップ成形品１０は、植物を原材料とする廃材をチップ化し、生分解性樹脂と混合したチップ混合物を型枠を用いて成形することにより形成された板状成形品１１に、植物種子と苗１３とを植付け、地盤面に敷設して植生用として用いるものである。また本第１実施形態によれば、植物種子は、チップ混合物に混入されて板状成形品１１に植付けられており、苗１３は、板状成形品１１に植込み穴１２を形成し、この植込み穴１２に苗１３を土１４と共に植込むことによって板状成形品１１に植付けられている。
【００２２】
本第１実施形態によれば、チップ化される廃材として、例えば建設工事現場より発生する伐採木や木の根等の建設木材廃棄物が用いられ、これを木材破砕機によって破砕して細かいチップ片にチップ化する。また同時に枝葉、草類等からなる植物廃材をチップ化し、木材廃棄物のチップ片に混入して使用することもできる。
【００２３】
得られたチップ片は、生分解性樹脂として例えばエチレン・酢酸ビニル共重合体からなる樹脂接着剤と混合されて、チップ混合物が形成される。形成されたチップ混合物を、例えば縦横３００〜５００ｍｍ程度の大きさの平坦な正方形の型枠の内側に投入して敷均した後に、プレス成形することにより、例えば厚さ２０〜７０ｍｍ程度の板状成形品１１が得られることになる。ここで、チップ片と生分解性樹脂とを混合する際に、植物種子として例えば法面吹付け用として従来より用いられている草の種子を同時に混合することにより、チップ混合物に植物種子を混入して板状成形品１１に容易に植付けることができる。
【００２４】
また、植込み穴１２は、チップ混合物を投入して板状成形品１１をプレス成形する際に、型枠の内側の所定箇所に円形の箱抜き部分を設けて置くことにより、例えば４０〜６０ｍｍ程度の直径の円形断面を有する穴として、例えば５箇所に分散配置して容易に形成することができる。この植込み穴１２には、例えば芝桜、ポーチュラカ等の花の苗１３が、植生用の土１４と共に植え込まれ、これによって、板状成形品１１に植物種子及び苗１４を植付けてなる本第１実施形態の木材チップ成形品１０が得られることになる。なお、植込み穴１２への苗１３の植込みは、例えば緑化を施すべき地盤面に板状成形品１１を敷設してから行っても良い。また植込み穴１２は、板状成形品１１をプレス成形した後に、当該板状成形品１１に穴をくり抜いて形成することもできる。
【００２５】
そして、本第１実施形態の木材チップ成形品１０は、図２（ａ），（ｂ）に示すように、緑化を図るべき地盤面として例えば道路脇の法面１５に、当該法面１５を覆って木材チップ成形品１０を縦横に敷き詰めて並べてゆくだけの簡易な作業によって、土を大量に掘り起こしたり運搬する作業や種子吹付け装置等の大掛かりな装置を要することなく、当該敷き並べられた植生用の木材チップ成形品１０によって、景観の向上や地盤の強化、環境の保持等を図るための緑化構造を容易且つ手軽に設けることが可能になる。
【００２６】
また、本第１実施形態によれば、木材チップ成形品１０は、植物廃材を原材料とするチップ片と生分解性樹脂とを混合してなるチップ混合物を固めて形成されているので、適度の透水性、保水性、通気性等を備えており、したがって、植込んだ植物種子や苗１４による草、花、枝葉等の生育が促進されてスムーズに地盤面の緑化を図ることが可能になる。また使用する植物や生分解性樹脂は人体に無害であると共に、長期的には地盤面の土に帰するものであるため、環境に影響を与えることがない。
【００２７】
さらに、本第１実施形態によれば、伐採木、剪定枝葉、草類等の植物を原材料とする廃材として、建設木材廃棄物を使用することが可能になり、これらの木材廃棄物の再利用を促進して、再資源化を図り難かった木材廃棄物の再資源化への要望に答えることが可能になる。さらにまた、チップ片と生分解性樹脂との混合時に、例えば無害の工業用水浄化スラッジをさらに混入してチップ混合物を形成することも可能であり、これによって、産業廃棄物である例えば工業用水スラッジの有効利用を図ることが可能になる。
【００２８】
なお、本発明によれば、植生用の木材チップ成形品は、板状成形品１１に植物種子と苗１３とを同時に植付けて用いる必要は必ずしもなく、例えば植込み穴を設けることなく植物種子のみをチップ混合物に混入して植付けたもの、或いは苗１３のみを植込み穴に植込んだもの等として形成することもできる。また植込み穴１２に土と共に植物種子を植込んで本発明の木材チップ成形品とすることもできる。さらに、プレス成形される板状成形品は、上述の形状、大きさのものに限定されることなく、施工に適した適宜の形状、大きさに形成することができる。成形された板状成形品は、適度の弾性と保形性（剛性）の他、鋸で容易に切断できる程度の硬さを有していることにより、施工現場等において適宜切断加工しつつ、地盤面に容易に敷設施工してゆくことが可能になる。
【００２９】
図３は、本発明の第２実施形態の木材チップ成形品２０を示すものであり、本第２実施形態によれば、木材チップ成形品２０は、上記第１実施形態と略同様の方法で例えば植物種子を混入することなく形成され板状成形品２１の表面に、植生用の土２２を塗布して、この土２２に植物種子を含ませることにより、植物種子を板状成形品２１に植付けて形成されるものである。
【００３０】
そして、本第２実施形態の木材チップ成形品２０によっても、上記第１実施形態の木材チップ成形品１０と同様に緑化を図るべき地盤面に敷き並べられて、上記第１実施形態と同様の作用効果を奏することになる。
【００３１】
図４は、本発明の第３実施形態の木材チップ成形品３０を、雑草が生えやすい地盤面を覆うようにして縦横に敷き並べて敷設した状況を示すものである。本第３実施形態によれば、木材チップ成形品３０は、主に枝葉や草類等からなる廃材をチップ化し、生分解性樹脂と混合したチップ混合物を型枠を用いて成形することにより、植物種子又は苗が植付けられることなく板状に成形されるものである。
【００３２】
そして、本第３実施形態の木材チップ成形品３０によれば、雑草が生えやすい地盤面に敷設されて、簡易且つ容易に雑草の生育を抑制することのできるマルチング用の部材として手軽に用いることができる。すなわち、本第３実施形態の木材チップ成形品３０は、主に枝葉や草類等をチップ化して生分解性樹脂と混合し、プレス成形した板状のものであり、透水性を有し防草効果を効果的に発揮させることが可能である。また本第３実施形態の木材チップ成形品３０は、２〜３年程度で土に戻ることになるが、それ以前に新しい木材チップ成形品３０を上に重ねて敷設することによって、その防草効果を容易に継続させることができる。
【００３３】
図５（ａ）〜（ｄ）は、本発明の第４実施形態の木材チップ成形品４０を示すものであり、本第４実施形態によれば、木材チップ成形品４０は、上記第１実施形態と略同様の方法で例えば植物種子を混入することなく得られたチップ混合物を、例えば内側筒体と外側筒体とからなる型枠の間に投入し、付き棒等により締固めることによって、円筒形状に形成されたものである。また形成された円筒形状は、図６に示すように、例えば内径ｄ１が５５〜９０ｍｍ、外径ｄ２が７５〜１２０ｍｍ、肉厚ｔ１が１０〜１５ｍｍ程度の円環状の断面形状を有すると共に、高さｈ１が７０〜１５０ｍｍ程度となるように形成されている。また、本第４実施形態によれば、木材チップ成形品４０は、１０〜１５ｍｍ程度の厚さｔ２の底部を有する有底円筒形状となっており、したがって内側植込み部の高さｈ２は、６０〜１３５ｍｍ程度となっている。
【００３４】
そして、本第４実施形態の木材チップ成形品４０によれば、図７に示すように、円筒形状の内部の内側植込み部に土と共に植物種子、苗、広葉樹の苗木等が植込まれて、植込み用のポット（植木鉢）として用いることが可能になる。また本第４実施形態の木材チップ成形品４０によれば、従来の植木鉢と比較して、見た目に優しく感じられる肌合いを鑑賞者に印象付けることができると共に、適度の透水性、保水性、通気性等を備えていることにより、植込まれた植物種子、苗、苗木等による草、花、枝葉等の生育を促進することが可能になる。
【００３５】
なお、本発明は上記各実施形態に限定されることなく種々の変更が可能である。例えば、板状成形品に植物種子又は苗を植付ける方法として、上述の植付け方法以外の手段を採用することもできる。また、筒形形状に形成された成形品は、底部を有している必要は必ずしもなく、円筒形状以外の、例えば正方形や六角形等の環状の断面形状を有する筒形形状であっても良い。
【００３６】
【発明の効果】
本発明の木材チップ成形品及び緑化構造によれば、伐採木、剪定枝葉、草類等の植物を原材料とする廃材として、特に建設木材廃棄物を利用して、簡易且つ手軽に緑化を施すことができる。また、本発明の木材チップ成形品によれば、伐採木、剪定枝葉、草類等の植物を原材料とする廃材として、特に建設木材廃棄物を利用して、簡易且つ手軽に雑草の生育を抑制することができる。
【図面の簡単な説明】
【図１】（ａ）、（ｂ）は、本発明の第１実施形態に係る木材チップ成形品の構成を説明する斜視図である。
【図２】（ａ）、（ｂ）は、本発明の第１実施形態に係る木材チップ成形品の地盤面への敷設状況を説明する斜視図及び上面図である。
【図３】本発明の第２実施形態に係る木材チップ成形品の構成を説明する斜視図である。
【図４】本発明の第３実施形態に係る木材チップ成形品の地盤面への敷設状況を説明する斜視図である。
【図５】（ａ）〜（ｄ）は、本発明の第４実施形態に係る木材チップ成形品を例示する斜視図である。
【図６】本発明の第４実施形態に係る木材チップ成形品の構成を説明する略示斜視図である。
【図７】本発明の第４実施形態に係る木材チップ成形品の使用状況を説明する斜視図である。
【符号の説明】
１０，２０，３０、４０　木材チップ成形品
１１，２１　板状成形品
１２　植込み穴
１３　苗
１４，２２　土
１５　法面（緑化を図るべき地盤面）
【図１】
2004082657.tif 000003
【図２】
2004082657.tif 000004
【図３】
2004082657.tif 000005
【図４】
2004082657.tif 000006
【図５】
2004082657.tif 000007
【図６】
2004082657.tif 000008
【図７】
2004082657.tif 000009